(57)【特許請求の範囲】
【請求項１】
第１の基板と第２の基板との間に液晶層を備えた液晶表示パネルの視認側、または視認側と反対側に、透過容易軸と平行な光の振動面は透過し、前記透過容易軸と直交する光の振動面は反射する反射型偏光板を備えた液晶表示体と、針を備えたアナログ式時計とを備えた時計であって、
前記液晶表示体を前記アナログ式時計の前記針に対して、視認側または視認側とは反対側に配置し、
前記液晶表示体への電圧印加の有無によって、前記液晶表示体の表示をメタリック表示とするか、または前記アナログ式時計の歯車が見える透過表示とすることを特徴とする時計。
【請求項２】
請求項１の時計であって、
前記液晶表示体の視認側、または視認側と反対側に文字板を設け、前記文字板の一部に開口部を設けることにより、前記アナログ式時計の歯車が見えることを特徴とする時計。
【発明の詳細な説明】
【０００１】
【発明の属する技術分野】
本発明は、表示に液晶表示を利用して時、分、秒などの時刻情報や、日付、曜日、月、年などのカレンダー表示をデジタルで表示する機能とアナログ時計とを併せもつ時計に関する。
【０００２】
【従来の技術】
液晶表示を利用し時刻情報やカレンダー情報を表示する時計の従来技術としてはたとえば特開昭５４−１５３０６６号公報に記載のものがある。
【０００３】
時刻情報やカレンダー情報を、液晶を使用してデジタル表示するときは、さきの記載した公報に記載してあるように、液晶セルの上下にそれぞれ吸収型偏光板を配置し、電界を印加すると光学特性が変化する液晶のもつ性質を利用して、所定の表示を行っている。
【０００４】
【発明が解決しようとする課題】
この従来技術における液晶表示を利用した時計では、一般的なノーマリーホワイトモードを例に取ると、グレー地に黒表示で時刻情報やカレンダー情報をデジタル表示する。
【０００５】
しかしながら、このようにコントラストも低い白黒のデジタル表示では、繊細に作られたアナログ時計と組み合わせると違和感は否めない。
【０００６】
そこで、アナログ表示時計にふさわしい高級感あるデジタル表示が要望されている。
【０００７】
［発明の目的］
本発明の目的は、上記課題を解決して、高級感あるメタリックなデジタル表示とアナログ式時計を併せもつ時計を提供することにある。
【０００８】
【課題を解決するための手段】
上記目的を達成するため、本発明による時計の構成は、下記に記載の手段を採用する。
【０００９】
本発明による時計の構成は、液晶表示パネルの視認側に設ける吸収型偏光板、液晶表示パネルの視認側と反対側に設ける反射型偏光板と反射板からなる液晶表示体とアナログ式時計とからなる時計であって、吸収型偏光板は透過容易軸と直交する振動面は吸収するシートであり、反射型偏光板は透過容易軸と直交する振動面は反射するシートである。
【００１０】
本発明による時計の構成は、液晶表示パネルの視認側に設ける反射型偏光板、液晶表示パネルの視認側と反対側に設ける吸収型偏光板からなる液晶表示体とアナログ式時計とからなる時計であって、反射型偏光板は透過容易軸と直交する振動面は反射するシートであり、吸収型偏光板は透過容易軸と直交する振動面は吸収するシートである。
【００１１】
本発明による時計の構成は、液晶表示パネルの視認側と視認側と反対側ともに反射型偏光板を設ける液晶表示体とアナログ式時計とからなる時計であって、反射型偏光板は透過容易軸と直交する振動面は反射するシートである。
【００１２】
本発明による時計の構成は、反射型偏光板を有した液晶表示体をアナログ式時計の針に対して、視認側または視認側とは反対側に設け、液晶表示体への電圧印加の有無によって、液晶表示体の表示をメタリック表示とするか、またはアナログ式時計の歯車が見える透過表示とすることを特徴とする。アナログ式時計の時刻表示部の全域または一部に、時、分、秒などの時刻情報や日付、曜日、月、年などのカレンダー情報や、または住所、電話番号などの個人情報をメタリックに表示することができる。また、非表示部は液晶表示体を通して、アナログ式時計の歯車を見ることができる。
【００１３】
本発明による時計の構成は、反射型偏光板を有した液晶表示体をアナログ式時計の時針、分針、秒針と文字板の間に設け、アナログ式時計の時刻表示部の全域または一部に、時、分、秒などの時刻情報や日付、曜日、月、年などのカレンダー情報、または住所、電話番号などの個人情報をメタリックに表示する時計であり、液晶表示体の視認側に文字板情報を盛り込むことも可能であり、文字板の材料、形状などの自由度が広がる。
【００１４】
本発明による時計の構成は、反射型偏光板を有した液晶表示体をアナログ式時計の文字板と同一面または視認側の反対側に設け、アナログ式時計の時刻表示部の全域または一部に、時、分、秒などの時刻情報や日付、曜日、月、年などのカレンダー情報、または住所、電話番号などの個人情報をメタリックに表示する時計であり、液晶表示体の視認側に文字板情報を盛り込むことも可能であり、非表示部からアナログ式時計のメカニカルな部分を見ることもできる。
【００１５】
［作用］
本発明の時計において、液晶表示体の液晶表示パネルの視認側と反対側に配置する反射型偏光板は透過容易軸と直交する振動面をもつ直線偏光は反射する部材である。
【００１６】
液晶表示パネルの視認側に配置する吸収型偏光板の透過容易軸と視認側と反対側に配置する反射型偏光板の透過容易軸とを直角となるように配置し、さらに液晶層を９０度以下のツイスト角のツイストネマチック液晶とする。
【００１７】
このような構成においては、電圧無印加の状態では吸収型偏光板に入射した光のうち透過容易軸と直交した振動面の光は吸収されてしまうが、残りの半分の光は、液晶より９０度偏光した状態で反射型偏光板に到達し、反射型偏光板を通過する。
【００１８】
電圧印加の状態では、吸収型偏光板を通過した半分の光は、そのまま反射型偏光板に到達し透過容易軸と直交するため反射される。
【００１９】
デジタル表示を電圧印加時としたときには、表示部はメタリックに光り、背景は文字板など液晶表示体の視認側の反対側の部材と同色になる。
【００２０】
液晶表示パネルの視認側に配置する吸収型偏光板の透過容易軸と視認側の反対側に配置する偏光板の透過容易軸とを平行に配置すると、デジタル表示部が背景の文字板など液晶表示体の視認側と反対側の部材の色で周囲がメタリックに光る表示部が構成される。
【００２１】
【発明の実施の形態】
以下、図面を使用して本発明の液晶表示体を利用し時計における最適な実施形態を腕時計を例に説明する。
【００２２】
［第１の実施形態：図１］
つぎに本発明の第１の実施の形態における腕時計の構成を図１を用いて説明する。
【００２３】
図１に示すように第１の実施形態の時計は、第１の基板１３と第２の基板１５との間にシール１６によって封じされた液晶層１４からなる液晶表示パネル１１の視認側に高透過率の吸収型偏光板１０を設け、さらに液晶表示パネル１１の視認側と反対側に反射型偏光板１２を設けた液晶表示体とアナログ式時計とからなる。
【００２４】
第１の基板１３と第２の基板１５には液晶を駆動するための電極（図示せず）が設けられており、電極上には配向膜（図示せず）が塗布され、擦り処理を施すことにより液晶を配向させる。
【００２５】
液晶層としては、第１の基板１３から第２の基板１５に９０度ツイストする、ツイステッドネマチック型を用いる。
【００２６】
ここで、液晶表示パネル１１の視認側に設ける吸収型偏光板１０は、透過容易軸と平行する光の振動面は透過し、透過容易軸と直交する光の振動面は吸収するシート状の部材であり、液晶表示パネル１１の視認側と反対側に設ける反射型偏光板１２は、透過容易軸と平行な光の振動面は透過し、透過容易軸と直交する光の振動面は反射するシート状の部材である。
【００２７】
吸収型偏光板１０の透過容易軸と反射型偏光板１２の透過容易軸は直交するように配置する。
【００２８】
この実施の形態に用いた反射型偏光板は、住友スリーエム株式会社のオプチカルフィルム  ＤＢＥＦ（商品名）を使用する。
【００２９】
このように構成された、吸収型偏光板、液晶層、反射型偏光板からなる液晶表示体を、図１に示すように、風防ガラス２と時針５分針６の間に固定枠２０を介してケース１に固定して設ける。
【００３０】
第１の基板１３と、第２の基板１５の厚さはそれぞれ０．４ｍｍであり、吸収型偏光板１０と、反射型偏光板１２の厚さはそれぞれ０．１３ｍｍであり、液晶層１４の厚さはわずかに０．０１ｍｍ以下であり、固定枠２０の風防２側の厚さは０．１ｍｍであるから、風防２と分針６とのあいだは、わずか１．２ｍｍあればよい。
【００３１】
本発明の時計では、第１の基板１３と第２の基板１５とに時、分、秒などの時刻情報や日付、曜日、月、年などのカレンダー情報、または住所、電話番号などの個人情報を表示するための電極（図示せず）を設け、電極に電圧を印加することにより情報を時計のケース１や時針５、分針６、と同色またはデザイン的にコントラストを持たせたメタリックに表示する。
【００３２】
液晶層に電圧をかけない部分は、時針、分針、秒針と装飾性豊かな文字板がそのまま視認できる。
【００３３】
また、本発明では、液晶表示体をケース１に固定し、文字板を取り除くか、文字板の一部に窓（図示せず）を開けることにより、電圧を印加しない部分では通常文字板に覆われているアナログ式時計の歯車２３の動きなどを視認でき、デジタル情報を併せもつ時計であっても、装飾性豊かな時計が可能である。
【００３４】
また、吸収型偏光板の透過容易軸と反射型偏光板の透過容易軸とを平行に配置した場合は、時、分、秒などの時刻情報や日付、曜日、月、年などのカレンダー情報、または住所、電話番号などの個人情報を表示する以外は全面メタリック表示となり、あたかもデジタル時計のように視認でき、情報表示以外の電圧印加電極を設け、電圧印加することによりアナログ式時計を見ることも可能である。
【００３５】
［第２の実施形態：図２］
つぎに第２の実施形態を図２を用いて説明する。
図２に示すように、第２の実施形態の時計は、吸収型偏光板の透過容易軸と反射型偏光板の透過容易軸を直交させて配置する、第１の実施形態と同じ構成の液晶表示体に穴を開け、時針５分針６と文字板の間に、固定枠２０を設け固定したものである。
【００３６】
この実施形態では、針と文字との視差を無くすため、時、分を示す文字２１を液晶表示体の視認側に、時針５分針６と同色の文字２１を印刷により設けたが、通常の文字板を利用してもよい。
【００３７】
この実施形態においても、第１の基板１３と第２の基板１５とに時、分、秒などの時刻情報や日付、曜日、月、年などのカレンダー情報、または住所、電話番号などの個人情報を表示するための電極（図示せず）を設け、電極に電圧を印加することにより情報を時計のケース１や時針５、分針６、と同色またはデザイン的にコントラストを持たせたメタリックに表示する。
【００３８】
液晶層に電圧をかけない部分は、装飾性豊かな文字板がそのまま視認できる。
【００３９】
また、本発明では、液晶表示体をケース１に固定し、文字板を取り除くか、文字板の一部に窓２２を開けることにより、電圧を印加しない部分では通常文字板に覆われているアナログ式時計の歯車２３の動きなどを視認でき、デジタル情報を併せもつ時計であっても、装飾性豊かな時計が可能である。
【００４０】
［第３の実施形態：図３］
つぎに第３の実施形態を図３を用いて説明する。
図３に示すように、第３の実施形態の時計は、吸収型偏光板１０の透過容易軸と反射型偏光板１２の透過容易軸を直交させて配置する、第１の実施形態と同じ構成の液晶表示体の視認側の反対側に文字板４と同色の反射板３４を設け、文字板４の一部に設けた窓２２から見える位置にアナログ式時計の歯車２３などを配した地板７に固定枠２０を用いて固定する。
【００４１】
さきの実施形態と同様に第１の基板１３と第２の基板１５とに、時、分、秒などの時刻情報や日付、曜日、月、年などのカレンダー情報、または住所、電話番号などの個人情報を表示するための電極（図示せず）を設け、電極に電圧を印加することにより情報をメタリックに表示する。
【００４２】
液晶層に電圧をかけない部分は、装飾性豊かな文字板と同色であり、文字板の一部をデジタル表示しても従来のようにグレーに黒表示のような違和感はなく、高級感あふれる時計となる。
【００４３】
この実施形態においては、文字板４と同色の反射板３４を設けたが、時、分、秒などの時刻情報や、日付、曜日、月、年などのカレンダー情報、または住所、電話番号などの個人情報をメタリック表示した場合のデザイン上の効果を考慮して、反射板の配色を変化させることは何ら問題ない。
【００４４】
第１から第３の実施形態の時計においては、液晶表示パネル１１の視認側に高透過率の吸収型偏光板１０を設け、さらに液晶表示パネル１１の視認側と反対側に反射型偏光板１２を設けた。しかしながら、液晶表示パネル１１の視認側に反射型偏光板１２を設け、視認側の反対側に吸収型偏光板１０を用いても同様な効果が得られ、両側を反射型偏光板１２にすることもメタリック調を強調することには有効である。
【００４５】
また、第１から第３の実施の形態については、腕時計を用いて説明したが、置き時計または掛け時計においても、本発明の構成を適用することによって、以上の説明とまったく同様な効果を得ることができる。
【００４６】
【発明の効果】
以上の説明から明らかなように、液晶表示体の偏光板の一方または両方に反射型偏光板を用いることにより、従来のグレーと黒の低いコントラストのデジタル表示と異なり、装飾性豊かなメタリック表示が可能となり、アナログ時計とデジタル表示の違和感が無くなり、高級感あふれるアナログ式時計とデジタル表示を併せもつ時計ができる。
【図面の簡単な説明】
【図１】本発明の第１の実施形態における腕時計の断面構造を示す図面である。
【図２】本発明の第２の実施形態における腕時計の断面構造を示す図面である。
【図３】本発明の第３の実施形態における腕時計の断面構造を示す図面である。
【符号の説明】
１  時計ケース
２  風防ガラス
３  裏蓋
４  文字板
５  時針
６  分針
７  地板
１０  吸収型偏光板
１１  液晶表示パネル
１２  反射型偏光板
１３  第１の基板
１４  液晶層
１５  第２の基板
１６  シール材
２０  固定枠
２１  文字表示
２２  窓
２３  歯車
３４  反射板
【図１】
0003789608.tif 000002
【図２】
0003789608.tif 000003
【図３】
0003789608.tif 000004